Podtech/llm-jp-corpus-v4-ja_patent huggingface dataset:
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
心臓の房室溝に沿って配置するためのベルトであって、
第１の開放端および第２の開放端を有するメッシュのチューブであって、当該チューブの長手方向軸線に沿って該第１の開放端から該第２の開放端まで延びるチューブ腔をさらに有し、長手方向に沿ってループ状にされて心臓の周りで房室溝に沿って配置されるメッシュのチューブと、
該チューブ内に位置し、該第１の開放端に隣接して該チューブに固定されて該第２の開放端に向かって該チューブ腔を通って延び、複数の保持要素によって該チューブ腔内において該チューブに接続されて、該チューブに対して該保持要素を通って長手方向に移動可能とされている第１の縫合糸部分と、
該チューブ内に位置し、該第１の縫合糸部分と平行に該第１の縫合糸部分から間隔を置いて配置され、該第１の開放端に隣接して該チューブに固定されて該第２の開放端に向かって該チューブ腔を通って延び、複数の保持要素によって該チューブ腔内において該チューブに接続されて、該チューブに対して該保持要素を通って長手方向に移動可能とされている第２の縫合糸部分と、
を備え、
該第１および第２の縫合糸部分を引っ張ることにより、該チューブを該チューブに沿った少なくとも選択された位置で長手方向に圧縮するようにして、該チューブを締めて該ループの面積を減少させるようにした、ベルト。
【請求項２】
該第１の縫合糸部分および第２の縫合糸部分はそれぞれ、該チューブの外側にあり引っ張って該チューブを締めることができるようにする部分を提供するように、該第２の開放端を通って延びている、請求項１に記載のベルト。
【請求項３】
該第１の縫合糸部分および該第２の縫合糸部分は、該第１の縫合糸部分と該第２の縫合糸部分との間に中間部分を有し且つ該中間部分に取り付けられた係止縫合糸を備える単一の張力縫合糸の一部とされている、請求項１に記載のベルト。
【請求項４】
該チューブ内で該第２の開放端に隣接するリングをさらに含み、該張力縫合糸が該リングの上で該リングを通って折り畳まれ、該第１および第２の縫合糸部分が該リングの片側にあり、該中間部分が該リングの反対側にある、請求項３に記載のベルト。
【請求項５】
該リングは、その周りに該張力縫合糸が折り畳まれる丸い係合部分を含む、請求項４に記載のベルト。
【請求項６】
該リングが、該第２の開放端に隣接して該チューブに平行な第１および第２の直線状側部分を有し、該第１の直線状側部分は少なくとも１つの保持要素によって該チューブに接続され、該第２の直線状側部分は少なくとも１つの保持要素によって該チューブに接続されている、請求項４に記載のベルト。
【請求項７】
該係止縫合糸は、該係止縫合糸に加えられて該第１および第２の縫合糸部分に伝達される張力を保持するのに使用するための複数の突起を含む、請求項３に記載のベルト。
【請求項８】
該係止縫合糸は、該チューブ内の長さ部分と、該第１の開放端を通って該チューブを出る部分とを有し、
該突起は、該チューブ内及び該第１の開放端の隣にある係止縫合糸の全体長さ部分までの上にあり、または該係止縫合糸の該チューブ内の長さ部分にはないようにされている、請求項７に記載のベルト。
【請求項９】
該メッシュはニチノールからなる、請求項１に記載のベルト。
【請求項１０】
該メッシュは、該チューブが体温に達したときにその断面がバーベル状となるようにヒートセットされている、請求項１に記載のベルト。
【請求項１１】
該メッシュは、該チューブが体温に達したときにその断面が楕円形または楕円形になるようにヒートセットされている、請求項１に記載のベルト。
【請求項１２】
該メッシュは、該チューブが体温に達したときに平らなリボン形状となるようにヒートセットされている、請求項１に記載のベルト。
【請求項１３】
該メッシュは、該チューブが体温に達したときに、第１のフープ直径および第１の断面寸法を有する第１の領域と、第２のフープ直径および第２の断面寸法を有する第２の領域とを有する形状となるようにヒートセットされており、該第１のフープ直径は該第２のフープ直径よりも大きく、該第１の断面寸法は該第２の断面寸法よりも大きい、請求項１に記載のベルト。
【請求項１４】
該第１の領域と該第２の領域との間の中間部分が、房室溝の少なくとも一部に一致するようにされた輪郭を含む、請求項１３に記載のベルト。
【請求項１５】
該メッシュが、該チューブが体温に達したときに１つ以上の下部の丸みのある輪郭領域を有するサドル形状となるようにヒートセットされており、該下部の丸みのある輪郭領域の少なくとも一つが房室溝にぴったりと収まるように形状付けられている、請求項１に記載のベルト。
【請求項１６】
該第１および第２の縫合糸部分は、それぞれの別個の縫合糸のそれぞれの部分である、請求項１に記載のベルト。
【請求項１７】
該第１および第２の縫合糸部分は、ループを形成するように接続されている、請求項１に記載のベルト。
【請求項１８】
該ループは、少なくとも部分的に該ベルトの外部にある細長い要素に接続され、該細長い要素は、係止縫合糸と送達フィラメントとのうちの一方である、請求項１７に記載のベルト。
【手続補正書】
【提出日】令和2年5月12日(2020.5.12)
【手続補正１】
【補正対象書類名】明細書
【補正対象項目名】０００４
【補正方法】変更
【補正の内容】
【０００４】
従って、当技術分野には、アンカフリータフティングを備えるブラシヘッドをより効率的に製造するための方法及び装置の必要がある。
特許文献１は、物品を洗浄するための衛生ブラシヘッドを製造する方法を開示しており、ブラシヘッドは、成形されたブラシヘッド本体に接続される成形された剛毛キャリア内にカプセル化される、フレキシブルな掃除要素内にグループ化される長手方向に延びる複数のフレキシブルな剛毛フィラメントを含み、方法は、少なくとも１つのグループのフレキシブルな掃除要素を作り出すグループ化モジュール内にフレキシブルな剛毛フィラメントを収集すること、フレキシブルな掃除要素から離れる方向に剛毛キャリアから延びるフランジ部を含む剛毛キャリア内に少なくとも１つのグループのフレキシブルな掃除要素の一端をカプセル化すること、複数のカプセル化されたグループのフレキシブルな掃除要素を型内に位置付けること、複数のカプセル化されたグループのフレキシブルな掃除要素の周りでブラシヘッド本体の第１のブラシヘッド成形を遂行すること、及びブラシヘッド本体の第２のブラシヘッド成形を遂行し、それによって、衛生ブラシヘッドを作り出すことを含む。
特許文献２は、剛毛の束を支持するブラシヘッドと、射出成形された基本的な本体を備えるハンドルとを含み、ハンドルは、ブラシヘッドまで延びる締結区画を含み、剛毛の束は、締結区画を通じて鋳造化合物を備える基本的な本体に結合される、ブラシを開示している。
特許文献３は、射出成形によって生成される剛毛キャリアと、同様に射出成形によって剛毛材料から生成される剛毛とを含む、ブラシを開示している。剛毛キャリアは、剛毛材料のための少なくとも１つの分配チャネルを備える。剛毛は、分配チャネル内で剛毛材料と一体的に形成される。
【特許文献１】米国特許出願第２０１５／００２６９０５号明細書
【特許文献２】米国特許出願第２０１０／００４３１６５号明細書
【特許文献３】米国特許出願第２０１３／０２９１３２０号明細書
【手続補正書】
【提出日】令和2年5月7日(2020.5.7)
【手続補正１】
【補正対象書類名】明細書
【補正対象項目名】０００６
【補正方法】変更
【補正の内容】
【０００６】
本発明において、しわ部が縦方向に形成された場合には、内側から外側に行くほどしわの頂点の高さＨ、ｈが減少し、しわ部が横方向に形成された場合には、上側から下側に行くほどしわの幅Ｗが増加することが好ましい。
【手続補正２】
【補正対象書類名】特許請求の範囲
【補正対象項目名】請求項４
【補正方法】変更
【補正の内容】
【請求項４】
前記しわ部が縦方向に形成された場合には、内側から外側に行くほどしわの頂点の高さ（Ｈ、ｈ）が減少し、前記しわ部が横方向に形成された場合には、上側から下側に行くほどしわの幅（Ｗ）が増加することを特徴とする、請求項３に記載のハンドリング部を備えた化粧品容器。
【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
薬物送達デバイス（１０）であって、少なくとも：
ピストン（２３）を有する１次容器（２４）を受けるように適用されたハウジング（１１）と、
該ハウジング（１１）内に摺動可能に配置され、ピストン（２３）を駆動して薬剤を送達するように適用されたプランジャ（４０）と、
該プランジャ（４０）を遠位方向（Ｄ）に付勢するようにハウジング（１１）とプランジャ（４０）との間で予荷重された駆動ばね（３０）と、
薬剤の送達の終了時または終了付近で使用者に標示を提供する可聴および／または触覚インジケータ（５０）と、
該インジケータ（５０）とプランジャ（４０）との間に配置されたトリガ機構（６０）とを含み、
ここで、トリガ機構（６０）は、
該デバイス（１０）の初期状態（Ｓ１）時および薬剤の送達中にインジケータ（５０）を支持し、
薬剤の送達の終了時または終了近くにおいてプランジャ（４０）に連結して可聴および／または触覚インジケータ（５０）を起動するように構成される、前記薬物送達デバイス。
【請求項２】
インジケータ（５０）を起動したとき、前記インジケータ（５０）は、トリガ機構（６０）の支持から係合解除される、請求項１に記載の薬物送達デバイス（１０）。
【請求項３】
トリガ機構（６０）は、プランジャ（４０）に弾性的に当接する少なくとも１つの構造（６０．１）を含む、請求項１または２に記載の薬物送達デバイス（１０）。
【請求項４】
少なくとも１つの構造（６０．１）は、インジケータホルダからプランジャ（４０）に向かって突出する、請求項３に記載の薬物送達デバイス（１０）。
【請求項５】
少なくとも１つの構造（６０．１）は、ハウジング（１１、１１．３）からプランジャ（４０）に向かって突出する、請求項３または４に記載の薬物送達デバイス（１０）。
【請求項６】
構造（６０．１）は、傾斜面（６０．２）を有する、請求項３〜５のいずれか１項に記載の薬物送達デバイス（１０）。
【請求項７】
構造（６０．１）は、近位傾斜端（６０．３）、遠位階段状縁部（６０．４）、および／または少なくとも１つのフィンまたはリブを含む、請求項３〜６のいずれか１項に記載の薬物送達デバイス（１０）。
【請求項８】
プランジャ（４０）は、送達の終了時または終了近くにおいて、少なくとも１つの構造（６０．１）を受けるように適用された少なくとも１つの切抜き（４０．１）を提供する、請求項３〜７のいずれか１項に記載の薬物送達デバイス（１０）。
【請求項９】
切抜き（４０．１）は、側面傾斜縁部（４０．１．１）および／または遠位階段状縁部（４０．１．２）を含む、請求項８に記載の薬物送達デバイス（１０）。
【請求項１０】
トリガ機構（６０）は、２つの隣接する構造（６０．１）を含み、プランジャ（４０）は、それに対応して隣接する２つの切抜き（４０．１）を含み、該切抜き（４０．１）は、構造（６０．１）を受けるように適用される、請求項１〜９のいずれか１項に記載の薬物送達デバイス（１０）。
【請求項１１】
ハウジング（１１）にニードルスリーブ（１３）が嵌め込み式に連結され、ニードルスリーブ（１３）の内面（１３．１）は、長手方向軸（Ｘ）に平行に延びる少なくとも１つの径方向内方へ突出するガイドレール（１３．２）を有する、請求項１〜１０のいずれか１項に記載の薬物送達デバイス（１０）。
【請求項１２】
プランジャ（４０）は、少なくとも１つのガイドレール（１３．２）に係合するように構成された少なくとも１つの径方向外方へ突出するガイドピン（４０．２）を含む、請求項１１に記載の薬物送達デバイス（１０）。
【請求項１３】
ガイドピン（４０．２）は、突出ボスとして形成され、かつ／または傾斜遠位端（４０．２．２）を含む、請求項１２に記載の薬物送達デバイス（１０）。
【請求項１４】
ガイドレール（１３．２）は、長手方向軸（Ｘ）に平行な細長い突出リブとして形成される、請求項１１〜１３のいずれか１項に記載の薬物送達デバイス（１０）。
【請求項１５】
薬物を充填済みの１次容器（２４）を含む、請求項１〜１４のいずれか１項に記載の薬物送達デバイス（１０）。
【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
マニホールドと、
生体吸収性構成要素と、
前記生体吸収性構成要素の２つ以上の表面を覆い、前記生体吸収性構成要素の分解を調節するように構成された分解調節構成要素と、
を備えることを特徴とするドレッシング。
【請求項２】
請求項１に記載のドレッシングにおいて、前記マニホールドが疎水性の連続気泡フォームを含むことを特徴とするドレッシング。
【請求項３】
請求項１又は２に記載のドレッシングにおいて、前記マニホールドがポリウレタンから形成されていることを特徴とするドレッシング。
【請求項４】
請求項１〜３のいずれか一項に記載のドレッシングにおいて、前記生体吸収性構成要素がプロテアーゼ調節活性を示すことを特徴とするドレッシング。
【請求項５】
請求項１〜４のいずれか一項に記載のドレッシングにおいて、前記生体吸収性構成要素が、コラーゲンと酸化再生セルロースとを含むことを特徴とするドレッシング。
【請求項６】
請求項１〜５のいずれか一項に記載のドレッシングにおいて、前記分解調節構成要素が、モノマー単位を有するポリマーを含み、前記モノマー単位が、ビニルピロリドン、ビニルアルコール、エチレンオキシド、プロピレンオキシド、エチレングリコール、アクリル酸、アクリル酸の塩、アクリル酸のエステル、アクリルアミドメチルプロパンスルホン酸、アクリルアミドメチルプロパンスルホン酸の塩、アクリルアミドメチルプロパンスルホン酸のエステル、セルロース誘導体、それらのコポリマー、それらのブレンド若しくは混合物、又はそれらの組合せを含むことを特徴とするドレッシング。
【請求項７】
請求項１〜６のいずれか一項に記載のドレッシングにおいて、前記分解調節構成要素がビニルピロリドンから作成されたポリマーを含むことを特徴とするドレッシング。
【請求項８】
請求項７に記載のドレッシングにおいて、前記分解調節構成要素が、ポリビニルピロリドン及びビニルアセテートのコポリマーを含むことを特徴とするドレッシング。
【請求項９】
請求項１〜８のいずれか一項に記載のドレッシングにおいて、前記分解調節構成要素が架橋ポリマーを含むことを特徴とするドレッシング。
【請求項１０】
請求項１〜９のいずれか一項に記載のドレッシングにおいて、前記分解調節構成要素が水溶性であることを特徴とするドレッシング。
【請求項１１】
請求項１〜１０のいずれか一項に記載のドレッシングにおいて、前記ドレッシングが、第１生体吸収性層と、第１分解調節層と、第２分解調節層とを備え、前記第１生体吸収性層が、前記第１分解調節層と前記第２分解調節層との間に配置され、前記第２分解調節層が、前記第１生体吸収性層と前記マニホールドとの間に配置されていることを特徴とするドレッシング。
【請求項１２】
請求項１１に記載のドレッシングにおいて、前記ドレッシングが、第２生体吸収性層と第３分解調節層とをさらに含み、前記第２生体吸収性層が、前記第２分解調節層と前記第３分解調節層との間に配置され、前記第３分解調節層が、前記第２生体吸収性層と前記マニホールドとの間に配置されていることを特徴とするドレッシング。
【請求項１３】
請求項１〜１２のいずれか一項に記載のドレッシングにおいて、前記分解調節構成要素が、前記生体吸収性構成要素内に配置されていることを特徴とするドレッシング。
【請求項１４】
請求項１３に記載のドレッシングにおいて、前記分解調節構成要素が、前記生体吸収性構成要素を封入していることを特徴とするドレッシング。
【請求項１５】
請求項１３又は１４に記載のドレッシングにおいて、前記生体吸収性構成要素が複数の生体吸収性繊維を含み、前記分解調節構成要素が、前記複数の生体吸収性繊維を覆う分解調節コーティングを含むことを特徴とするドレッシング。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
データベースから、複数の被験者についての複数対の連続する心エコー図を取得するステップであって、各心エコー図は、ユーザによって入力される１つ以上の診断ステートメントを含む、前記心エコー図の内容に関連付けられる指示を有する、取得するステップと、
各対の連続する心エコー図のそれぞれに関連付けられる前記診断ステートメント間の自動比較によって、関連付けられるクラスを決定するために連続する心エコー図の各対を分析するステップと、
連続する心エコー図の各対について、畳み込み深層学習ネットワークの全結合層において、前記各対における前記心エコー図に１回以上の畳み込み及び／又はリダクションを行うことによって、特徴ベクトル又はデータのセットのいずれかを含む、各心エコー図の抽象的表現を決定するステップと、
前記複数対の連続する心エコー図の前記抽象的表現に基づいて、新しい１対の心エコー図のクラスを決定するために予測モデルをトレーニングするステップと、
を含み、
前記クラスは、前記各対における前記連続する心エコー図間に変化があるかないかを示し、前記変化は、心機能及び／又は心臓の構造の変化を表し、
前記抽象的表現は、前記各対の前記クラスを示す１つ以上の特徴を含む、心エコー図を分析するコンピュータ実施方法。
【請求項２】
前記各対の連続する心エコー図を、心周期に関して、時間的に整列させるステップを更に含む、請求項１に記載のコンピュータ実施方法。
【請求項３】
各心エコー図は、複数の画像フレームを含み、
前記コンピュータ実施方法は、各心エコー図が同数の画像フレームを含むように、前記各対の心エコー図の一方又は両方について１つ以上の画像フレームを補間するステップを更に含む、請求項１又は２に記載のコンピュータ実施方法。
【請求項４】
被験者の新しい心エコー図を受信するステップと、
前記被験者の過去の心エコー図を取得するステップと、
前記新しい心エコー図及び前記過去の心エコー図のクラスを決定するために前記予測モデルを使用するステップと、
を更に含む、請求項１から３のいずれか一項に記載のコンピュータ実施方法。
【請求項５】
前記新しい１対の心エコー図の決定された前記クラスが、変化があることを示す場合、ユーザに通知を提供するようにインターフェースを制御するステップを更に含む、請求項４に記載のコンピュータ実施方法。
【請求項６】
過去の心エコー図を取得する前記ステップは、前記過去の心エコー図の内容に関連付けられる指示を受信するステップを含み、
前記コンピュータ実施方法は、前記新しい１対の心エコー図の決定された前記クラスが、変化がないことを示す場合、ユーザに前記関連付けられる指示及び／又は前記内容を提供するようにインターフェースを制御するステップを更に含む、請求項４又は５に記載のコンピュータ実施方法。
【請求項７】
各心エコー図は、複数のシーケンスを含み、
各シーケンスは、前記被験者の異なるビューを表し、
前記連続する心エコー図の各対を分析するステップは、単一の画像を形成するために各心エコー図の前記複数のシーケンスを結合するステップを更に含む、請求項１から６のいずれか一項に記載のコンピュータ実施方法。
【請求項８】
各心エコー図は、複数のシーケンスを含み、
各シーケンスは、前記被験者の異なるビューを表し、
前記連続する心エコー図の各対を分析するステップは、前記各対の一方の心エコー図における複数のシーケンスのそれぞれを、前記各対の他方の心エコー図における複数のシーケンスのそれぞれと比較するステップを更に含む、請求項１から６のいずれか一項に記載のコンピュータ実施方法。
【請求項９】
各心エコー図は、複数のシーケンスを含み、
各シーケンスは、前記被験者の異なるビューを表し、
前記コンピュータ実施方法は、前記複数のシーケンスのそれぞれにビュータグを関連付けるステップを更に含み、
前記ビュータグは、前記シーケンスによって表される前記被験者のビューを示す、請求項１から８のいずれか一項に記載のコンピュータ実施方法。
【請求項１０】
前記ビュータグは、傍胸骨長軸、傍胸骨短軸、心尖部４腔、心尖部５腔、心尖部２腔、心尖部３腔、肋骨下及び胸骨上切痕のうちの１つである、請求項９に記載のコンピュータ実施方法。
【請求項１１】
適切なコンピュータ又はプロセッサによる実行時に、前記コンピュータ又は前記プロセッサに請求項１から１０のいずれか一項に記載のコンピュータ実施方法を行わせるコンピュータ可読コードが具現化された、コンピュータ可読媒体。
【請求項１２】
データベースから、複数の被験者についての複数対の連続する心エコー図を取得し、各心エコー図は、ユーザによって入力される１つ以上の診断ステートメントを含む、前記心エコー図の内容に関連付けられる指示を有し、
各対の連続する心エコー図のそれぞれに関連付けられる前記診断ステートメント間の自動比較によって、関連付けられるクラスを決定するために連続する心エコー図の各対を分析し、
連続する心エコー図の各対について、畳み込み深層学習ネットワークの全結合層において、前記各対における前記心エコー図に１回以上の畳み込み及び／又はリダクションを行うことによって、特徴ベクトル又はデータのセットのいずれかを含む、各心エコー図の抽象的表現を決定し、
前記複数対の連続する心エコー図の前記抽象的表現に基づいて、新しい１対の心エコー図のクラスを決定するために予測モデルをトレーニングする、
プロセッサを含み、
前記クラスは、前記各対における前記連続する心エコー図間に変化があるかないかを示し、前記変化は、心機能及び／又は心臓の構造の変化を表し、
前記抽象的表現は、前記各対の前記クラスを示す１つ以上の特徴を含む、
心エコー図を分析する装置。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
リチウム塩と、
有機溶媒と、
添加剤として、下記化学式１で表される化合物と、を含む、リチウム二次電池用非水電解液。
【化１】
2021501978.tif 000001
（前記化学式１中、
（Ｒａ〜Ｒｃは、それぞれ独立して、置換されているかまたは置換されていない炭素数２〜１５のアルキレン基である。）
【請求項２】
前記化学式１中、前記Ｒａ〜Ｒｃは、それぞれ独立して、置換されているかまたは置換されていない炭素数２〜１０のアルキレン基である、請求項１に記載のリチウム二次電池用非水電解液。
【請求項３】
前記化学式１中、前記Ｒａ〜Ｒｃは、それぞれ独立して、置換されているかまたは置換されていない炭素数３〜７のアルキレン基である、請求項１または２に記載のリチウム二次電池用非水電解液。
【請求項４】
前記化学式１中、前記Ｒａ〜Ｒｃは、それぞれ独立して、−ＣＲ１Ｈ−ＣＲ２Ｈ−ＣＲ３Ｈ−（この際、Ｒ１、Ｒ２、およびＲ３は、それぞれ独立して、水素または炭素数１〜２のアルキル基である。）、−ＣＲ４Ｈ−ＣＲ５Ｈ−ＣＲ６Ｈ−ＣＲ７Ｈ−（この際、Ｒ４、Ｒ５、Ｒ６、およびＲ７は、それぞれ独立して、水素または炭素数１〜２のアルキル基である。）、および−ＣＲ８Ｈ−ＣＲ９Ｈ−ＣＲ１０Ｈ−ＣＲ１１Ｈ−ＣＲ１２Ｈ−（この際、Ｒ８、Ｒ９、Ｒ１０、Ｒ１１、およびＲ１２は、それぞれ独立して、水素または炭素数１〜２のアルキル基である。）からなる群から選択される少なくとも１つである、請求項１から３のいずれか一項に記載のリチウム二次電池用非水電解液。
【請求項５】
前記化学式１中、前記Ｒａ〜Ｒｃは、それぞれ独立して、−ＣＨ２−ＣＨ２−ＣＨ２−、−ＣＨ２−ＣＨ２−ＣＨ２−ＣＨ２−、および−ＣＨ２−ＣＨ２−ＣＨ２−ＣＨ２−ＣＨ２−からなる群から選択される少なくとも１つである、請求項１から４のいずれか一項に記載のリチウム二次電池用非水電解液。
【請求項６】
前記化学式１で表される化合物が、下記化学式１ａで表される化合物である、請求項１から５のいずれか一項に記載のリチウム二次電池用非水電解液。
【化２】
2021501978.tif 000002
【請求項７】
前記化学式１で表される化合物は、非水電解液の全重量を基準として、０．１重量％〜２．０重量％で含まれる、請求項１から６のいずれか一項に記載のリチウム二次電池用非水電解液。
【請求項８】
前記化学式１で表される化合物は、非水電解液の全重量を基準として、０．１重量％〜１．７重量％で含まれる、請求項７に記載のリチウム二次電池用非水電解液。
【請求項９】
環状カーボネート系化合物、ハロゲン置換されたカーボネート系化合物、スルトン系化合物、サルフェート系化合物、ホスフェート系化合物、ボレート系化合物、ニトリル系化合物、ベンゼン系化合物、アミン系化合物、シラン系化合物、およびリチウム塩系化合物からなる群から選択される少なくとも１つ以上の付加的添加剤をさらに含む、請求項１から８のいずれか一項に記載のリチウム二次電池用非水電解液。
【請求項１０】
請求項１から９のいずれか一項に記載のリチウム二次電池用非水電解液を含むリチウム二次電池。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
１つ以上の発光要素から光を発する方法であって、各発光要素は、それぞれの光を発するように制御可能であり、当該方法は、
第１の明所視光の期間を発するステップ、
その後、第１の暗所視光の期間を発するステップ、
その後、第２の明所視光の期間を発するステップ、及び
その後、第２の暗所視光の期間を発するステップ、
を含み、前記第１の明所視光の期間から前記第１の暗所視光の期間への第１の遷移は、前記第２の明所視光の期間から前記第２の暗所視光の期間への第２の遷移と比べて異なり、及び／又は、前記第１の暗所視光の期間から前記第２の明所視光の期間への第３の遷移は、前記第２の暗所視光の期間から前記第１の明所視光の期間若しくは第３の明所視光の期間への第４の遷移と比べて異なり、
明所視光及び暗所視光は、それぞれ明所視及び暗所視をもたらす、方法。
【請求項２】
前記第１の遷移は、第１の遷移期間にわたって生じ、前記第２の遷移は、第２の、異なる遷移期間にわたって生じ、及び／又は、前記第３の遷移は、第３の遷移期間にわたって生じ、前記第４の遷移は、第４の、異なる遷移期間にわたって生じる、請求項１に記載の方法。
【請求項３】
前記第２の遷移期間は、前記第１の遷移期間よりも大きい、及び／又は、前記第４の遷移期間は、前記第３の遷移期間よりも大きい、請求項２に記載の方法。
【請求項４】
前記第１の遷移は、第１の強度プロファイルの光を含み、前記第２の遷移は、第２の、異なる強度プロファイルの光を含む、請求項１乃至３のいずれか一項に記載の方法。
【請求項５】
前記第１の遷移は、第１のスペクトルプロファイルの光を含み、前記第２の遷移は、第２の、異なるスペクトルプロファイルの光を含む、請求項１乃至４のいずれか一項に記載の方法。
【請求項６】
当該方法は、光サイクルを繰り返すステップを含み、繰り返される前記光サイクルは、少なくとも前記第１の明所視光の期間及び前記第２の明所視光の期間並びに前記第１の暗所視光の期間及び前記第２の暗所視光の期間を含む連続する明所視光及び暗所視光の期間を含む、請求項１乃至５のいずれか一項に記載の方法。
【請求項７】
前記第２の暗所視光の期間は、光サイクルごとに一回発せられる、請求項６に記載の方法。
【請求項８】
前記光サイクルは、一日の期間にわたって発せられる、請求項６又は７に記載の方法。
【請求項９】
前記第２の暗所視光の期間は、前記第１の暗所視光の期間、並びに／又は、前記第１の明所視光の期間及び前記第２の明所視光の期間よりも大きい、請求項１乃至８のいずれか一項に記載の方法。
【請求項１０】
前記期間は、エンドユーザによってプログラム可能である、請求項１乃至９のいずれか一項に記載の方法。
【請求項１１】
明所視光及び暗所視光は、それぞれ人の明所視及び暗所視をもたらし、それぞれ３０ルクス以上の照度及び数ルクス以下の照度を提供する、請求項１乃至１０のいずれか一項に記載の方法。
【請求項１２】
明所視光及び暗所視光は、それぞれ鶏の明所視及び暗所視をもたらす、請求項１乃至１０のいずれか一項に記載の方法。
【請求項１３】
１つ以上の発光デバイスから発せられる光は、光学的な光である、請求項１乃至１２のいずれか一項に記載の方法。
【請求項１４】
１つ以上の発光要素を含む照明システムであって、各発光要素は、それぞれの光を発するように制御可能であり、
第１の明所視光の期間を発する、
その後、第１の暗所視光の期間を発する、
その後、第２の明所視光の期間を発する、及び
その後、第２の暗所視光の期間を発する、
ように構成され、前記第１の明所視光の期間から前記第１の暗所視光の期間への第１の遷移は、前記第２の明所視光の期間から前記第２の暗所視光の期間への第２の遷移と比べて異なり、及び／又は、前記第１の暗所視光の期間から前記第２の明所視光の期間への第３の遷移は、前記第２の暗所視光の期間から前記第１の明所視光の期間若しくは第３の明所視光の期間への第４の遷移と比べて異なり、
明所視光及び暗所視光は、それぞれ明所視及び暗所視をもたらす、照明システム。
【請求項１５】
コンピュータ可読ストレージに具現化され、制御システムの１つ以上の処理ユニットで実行される場合、請求項１乃至１３のいずれか一項に記載の動作を実行するよう１つ以上の発光要素を制御するように構成されるコードを含むコンピュータプログラム。
【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
装置であって、
基板上の複数の熱電デバイスであって、前記熱電デバイスのそれぞれが、リニアまたはマトリックス・バーコード・パターンにおける単一ビットとして前記基板上に配列される、前記熱電デバイス
を備え、
前記熱電デバイスのそれぞれが、ｐ型熱電素子に電気的に連結されたｎ型熱電素子を備える、
装置。
【請求項２】
前記リニアまたはマトリックス・バーコード・パターンが、クイック・レスポンス・パターンである、請求項１に記載の装置。
【請求項３】
前記クイック・レスポンス・パターンが、クイック・レスポンス（ＱＲ）バージョン１からバージョン４０パターン、ｉＱＲパターン、マイクロＱＲパターン、またはデータ・マトリックス・パターンである、請求項２に記載の装置。
【請求項４】
前記熱電デバイスのそれぞれが、熱電素子の２つ以上のペアを備え、各ペアが、ｐ型熱電素子に電気的に連結されたｎ型熱電素子を備える、請求項１に記載の装置。
【請求項５】
前記熱電デバイスのそれぞれが、ｎ型およびｐ型熱電素子の端部に連結された接触面をさらに備える、請求項１に記載の装置。
【請求項６】
各接触面が、長方形または超長円形の形状を有する、請求項５に記載の装置。
【請求項７】
前記基板の表面上に形成された複数の電極をさらに備え、各電極が、前記複数の熱電デバイスのうちの１つの熱電デバイスに電気的に連結される、請求項１に記載の装置。
【請求項８】
前記基板内に複数のビアをさらに備え、各ビアが、熱電デバイスに電極を電気的に連結する、請求項７に記載の装置。
【請求項９】
前記リニアまたはマトリックス・バーコード・パターンが、高解像度グリッドを含む、請求項１に記載の装置。
【請求項１０】
クイック・レスポンス・コードを表面にブランディングするためのコンピュータ実行方法であって、
前記クイック・レスポンス・コードにエンコードされることになるデータをプロセッサによって受信することと、
前記データをエンコードする前記クイック・レスポンス・コードを前記プロセッサによって生成することと、
前記クイック・レスポンス・コードを生成するために加熱することになる、クイック・レスポンス・ブランディング・デバイスの熱電デバイスの第１のサブセットを前記プロセッサによって決定することと、
熱電デバイスの前記第１のサブセットを加熱するためのプログラム命令を前記クイック・レスポンス・ブランディング・デバイスに前記プロセッサによって送信することと
を含む、方法。
【請求項１１】
前記クイック・レスポンス・コードを生成するために冷却することになる、前記クイック・レスポンス・ブランディング・デバイスの熱電デバイスの第２のサブセットを前記プロセッサによって決定することをさらに含む、請求項１０に記載のコンピュータ実行方法。
【請求項１２】
熱電デバイスの前記第２のサブセットを冷却するためのプログラム命令を前記クイック・レスポンス・ブランディング・デバイスに前記プロセッサによって送信することをさらに含む、請求項１１に記載のコンピュータ実行方法。
【請求項１３】
熱電デバイスの前記第１のサブセットが加熱される一方で、熱電デバイスの前記第２のサブセットが冷却される、請求項１１に記載のコンピュータ実行方法。
【請求項１４】
前記クイック・レスポンス・コードが、クイック・レスポンス（ＱＲ）バージョン１からバージョン４０パターン、ｉＱＲパターン、マイクロＱＲパターン、またはデータ・マトリックス・パターンである、請求項１０に記載のコンピュータ実行方法。
【請求項１５】
前記クイック・レスポンス・コードを生成するために加熱することになる、前記クイック・レスポンス・ブランディング・デバイスの熱電デバイスの第２のサブセットを前記プロセッサによって決定することをさらに含む、請求項１０に記載のコンピュータ実行方法。
【請求項１６】
熱電デバイスの前記第２のサブセットを加熱するためのプログラム命令を前記クイック・レスポンス・ブランディング・デバイスに前記プロセッサによって送信することをさらに含む、請求項１５に記載のコンピュータ実行方法。
【請求項１７】
クイック・レスポンス・コードを表面にブランディングするためのコンピュータ・プログラムであって、プロセッサに、
前記クイック・レスポンス・コードにエンコードされることになるデータを受信すること、
前記データをエンコードする前記クイック・レスポンス・コードを生成すること、
前記クイック・レスポンス・コードを生成するために加熱することになる、クイック・レスポンス・ブランディング・デバイスの熱電デバイスの第１のサブセットを決定すること、および
熱電デバイスの前記第１のサブセットを加熱するためのプログラム命令を前記クイック・レスポンス・ブランディング・デバイスに送信すること、を実行させるためのコンピュータ・プログラム。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
物理世界の中の物理オブジェクトのビューに対して仮想オブジェクトを表示するように動作可能な拡張現実ディスプレイと、
物理ドラッグ及びドロップデバイスの物理ドラッグ及びドロップコントローラと協働して、前記仮想オブジェクト及び前記物理オブジェクトを伴うドラッグ及びドロップ動作を制御する、拡張現実ドラッグ及びドロップコントローラと、
を備える、拡張現実ドラッグ及びドロップデバイス。
【請求項２】
前記拡張現実ドラッグ及びドロップコントローラがさらに、前記物理ドラッグ及びドロップデバイスの前記物理ドラッグ及びドロップコントローラと協働して、前記物理オブジェクトの前記ビューへの、前記拡張現実ディスプレイによって表示されている前記仮想オブジェクトのドラッグ及びドロップを制御する、請求項１に記載の拡張現実ドラッグ及びドロップデバイス。
【請求項３】
前記拡張現実ドラッグ及びドロップコントローラがさらに、前記物理ドラッグ及びドロップデバイスの前記物理ドラッグ及びドロップコントローラと協働して、前記物理オブジェクトの指定エリアのビューへの、前記拡張現実ディスプレイによって表示されている前記仮想オブジェクトのドラッグ及びドロップを制御する、請求項１に記載の拡張現実ドラッグ及びドロップデバイス。
【請求項４】
前記拡張現実ドラッグ及びドロップコントローラがさらに、前記物理ドラッグ及びドロップデバイスの前記物理ドラッグ及びドロップコントローラと協働して、前記物理世界の指定領域のビューへの、前記拡張現実ディスプレイによって表示されている前記仮想オブジェクトのドラッグ及びドロップを制御する、請求項１に記載の拡張現実ドラッグ及びドロップデバイス。
【請求項５】
前記拡張現実ドラッグ及びドロップコントローラがさらに、前記物理ドラッグ及びドロップデバイスの前記物理ドラッグ及びドロップコントローラと協働して、前記拡張現実ディスプレイによって表示されている前記仮想オブジェクトへの、前記物理オブジェクトのドラッグ及びドロップを制御する、請求項１に記載の拡張現実ドラッグ及びドロップデバイス。
【請求項６】
前記拡張現実ドラッグ及びドロップコントローラがさらに、前記物理ドラッグ及びドロップデバイスの前記物理ドラッグ及びドロップコントローラと協働して、前記拡張現実ディスプレイによって表示されている前記仮想オブジェクトの指定エリアへの、前記物理オブジェクトのドラッグ及びドロップを制御する、請求項１に記載の拡張現実ドラッグ及びドロップデバイス。
【請求項７】
前記拡張現実ドラッグ及びドロップコントローラがさらに、前記物理ドラッグ及びドロップデバイスの前記物理ドラッグ及びドロップコントローラと協働して、前記物理世界の指定領域への、前記物理オブジェクトのドラッグ及びドロップを制御する、請求項１に記載の拡張現実ドラッグ及びドロップデバイス。
【請求項８】
拡張現実デバイスディスプレイによる仮想オブジェクトの表示の中の物理オブジェクトを、物理世界の中での前記物理オブジェクトのビューに対して輪郭付けするオブジェクト輪郭付けモジュールと、
物理ドラッグ及びドロップデバイスの物理ドラッグ及びドロップコントローラと協働して、前記オブジェクト輪郭付けモジュールによって輪郭付けされた前記仮想オブジェクト及び前記物理オブジェクトを伴うドラッグ及びドロップ動作を制御するオブジェクトマネジャと、
を備える、拡張現実ドラッグ及びドロップコントローラ。
【請求項９】
前記オブジェクトマネジャがさらに、前記物理ドラッグ及びドロップデバイスの前記物理ドラッグ及びドロップコントローラと協働して、前記物理オブジェクトの前記ビューへの、前記仮想オブジェクトのドラッグ及びドロップを制御する、請求項８に記載の拡張現実ドラッグ及びドロップコントローラ。
【請求項１０】
前記オブジェクトマネジャがさらに、前記物理ドラッグ及びドロップデバイスの前記物理ドラッグ及びドロップコントローラと協働して、前記物理オブジェクトの指定エリアのビューへの、前記仮想オブジェクトのドラッグ及びドロップを制御する、請求項８に記載の拡張現実ドラッグ及びドロップコントローラ。
【請求項１１】
前記オブジェクトマネジャがさらに、前記物理ドラッグ及びドロップデバイスの前記物理ドラッグ及びドロップコントローラと協働して、前記物理世界の指定領域のビューへの、前記仮想オブジェクトのドラッグ及びドロップを制御する、請求項８に記載の拡張現実ドラッグ及びドロップコントローラ。
【請求項１２】
前記オブジェクトマネジャがさらに、前記物理ドラッグ及びドロップデバイスの前記物理ドラッグ及びドロップコントローラと協働して、前記拡張現実デバイスディスプレイによって表示されている前記仮想オブジェクトへの、前記物理オブジェクトのドラッグ及びドロップを制御する、請求項８に記載の拡張現実ドラッグ及びドロップコントローラ。
【請求項１３】
前記オブジェクトマネジャがさらに、前記物理ドラッグ及びドロップデバイスの前記物理ドラッグ及びドロップコントローラと協働して、前記拡張現実デバイスディスプレイによって表示されている前記仮想オブジェクトの指定エリアへの、前記物理オブジェクトのドラッグ及びドロップを制御する、請求項８に記載の拡張現実ドラッグ及びドロップコントローラ。
【請求項１４】
前記オブジェクトマネジャがさらに、前記物理ドラッグ及びドロップデバイスの前記物理ドラッグ及びドロップコントローラと協働して、前記物理世界の指定領域への、前記物理オブジェクトのドラッグ及びドロップを制御する、請求項８に記載の拡張現実ドラッグ及びドロップコントローラ。
【請求項１５】
前記オブジェクトマネジャが、
前記物理ドラッグ及びドロップデバイスの前記物理ドラッグ及びドロップコントローラと協働して、前記物理オブジェクトに対する前記仮想オブジェクトのドラッグ及びドロップを制御するオブジェクト・プッシュ・マネジャと、
前記物理ドラッグ及びドロップデバイスの前記物理ドラッグ及びドロップコントローラと協働して、前記仮想オブジェクトに対する前記物理オブジェクトのドラッグ及びドロップを制御するオブジェクト・プル・マネジャと、
のうちの一方である、請求項８に記載の拡張現実ドラッグ及びドロップコントローラ。
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
車両（Ｍ）用前照灯（１）であって、
開口（２ａ）を備える放物面リフレクタ（２）であって、前記放物面リフレクタ（２）は、前記開口（２ａ）に向けて少なくとも一つの光線（５ａ、５ｂ）を均質に反射し分散するように構成されている、放物面リフレクタ（２）と、
前記開口（２ａ）を閉じる透明シールド（３）と、
支持隔壁（４）であって、前記支持隔壁（４）に対して互いに反対側に前記放物面リフレクタの第１セクタ（１５）と前記放物面リフレクタの第２セクタ（１６）とを定めるように、前記放物面リフレクタ（２）に配置された支持隔壁（４）と、
前記放物面リフレクタの前記第１セクタ（１５）に向けられた第１光線（５ａ）、
前記放物面リフレクタの前記第２セクタ（１６）に向けられた第２光線（６ａ）、および
第３光線（７ａ）、
を生成するように構成された少なくとも一つの光源と、
部分的に透明な少なくとも一つの窓（９）および前記窓（９）を囲む不透明部（８’）を備えるマスク（８）と、を備え、
前記マスク（８）は、前記支持隔壁（４）の前方に配置され、前記第３光線（７ａ）は、前記窓（９）の後方から光を当てるように前記開口（２ａ）に向けられ、
前記窓（９）は、シンボルまたはロゴの輪郭を描くように形成された外周縁（９’）によって特徴付けられている、車両（Ｍ）用前照灯（１）。
【請求項２】
前記第３光線（７ａ）は、車幅灯または昼間走行灯として機能する、請求項１に記載の前照灯（１）。
【請求項３】
前記第３光線（７ａ）は、車両が動作しているときは常に点灯している、請求項１または請求項２に記載の前照灯（１）。
【請求項４】
前記第３光線（７ａ）は、前記窓（９）の前記外周縁（９’）の少なくとも一部を照らすように向けられている、請求項１から請求項３のいずれか一項に記載の前照灯（１）。
【請求項５】
前記少なくとも一つの光源は、前記第１光線（５ａ）を生成するように構成された第１の複数のＬＥＤ（５）、前記第２光線（６ａ）を生成するように構成された第２の複数のＬＥＤ（６）、および前記第３光線（７ａ）を生成するように構成された第３の複数のＬＥＤ（７）を備える、請求項１から請求項４のいずれか一項に記載の前照灯（１）。
【請求項６】
前記第３の複数のＬＥＤ（７）は、前記支持隔壁（４）または前記マスク（８）に設置されている、請求項５に記載の前照灯（１）。
【請求項７】
前記第１の複数のＬＥＤ（５）および前記第２の複数のＬＥＤ（６）は、前記放物面リフレクタ（２）に向かって面して前記支持隔壁（４）に配置されている、請求項６に記載の前照灯（１）。
【請求項８】
前記第１の複数のＬＥＤ（５）は、前記放物面リフレクタ（２）に向かって面する前記支持隔壁（４）の第１部分（４０ａ）に配置され、前記第２の複数のＬＥＤ（６）は、前記放物面リフレクタ（２）に向かって面する前記支持隔壁（４）の第２部分（４０ｂ）に配置され、前記第１部分（４０ａ）と前記第２部分（４０ｂ）は、中間面（Ｘ−Ｘ）に対して互いに反対側に位置し、前記第１の複数のＬＥＤ（５）および前記第２の複数のＬＥＤ（６）は、前記支持隔壁（４）の後壁（４ｐ）および／または各側壁（４Ｌ１、４Ｌ２）に少なくとも部分的に配置され、前記第１の複数のＬＥＤ（５）と前記第２の複数のＬＥＤ（６）は、前記放物面リフレクタのそれぞれのセクタ（１５）とセクタ（１６）を照らすように配向されている、請求項５から請求項７のいずれか一項に記載の前照灯（１）。
【請求項９】
前記支持隔壁（４）は、前記放物面リフレクタ（２）内を左右に横方向に配置され、前記支持隔壁（４）は、前記放物面リフレクタ（２）の内部側壁に結合されている、請求項１から請求項８のいずれか一項に記載の前照灯（１）。
【請求項１０】
前記第１光線（５ａ）は、すれ違い用前照灯であり、前記第１光線（５ａ）と合わせて前記第２光線（６ａ）は、走行用前照灯である、請求項１から請求項９のいずれか一項に記載の前照灯（１）。
【請求項１１】
正面向きに配置された請求項１から請求項１０のいずれか一項に記載の少なくとも一つの前照灯（１）を備える、車両（Ｍ）。
【請求項１２】
前記車両は、原動機付き車両である、請求項１１に記載の車両（Ｍ)。
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
相変化メモリ（ＰＣＭ）デバイスを製作するための方法であって、
第１の誘電材料を堆積させることと、
前記第１の誘電材料に開口を形成することと、
前記開口内にボトム金属電極を堆積させ、前記ボトム金属電極を磨くことと、
前記ボトム金属電極および前記第１の誘電材料の表面に第２の誘電材料を堆積させることと、
前記相変化メモリ（ＰＣＭ）デバイスの前記第２の誘電材料内の孔に金属窒化物をコンフォーマルに堆積させることであって、前記孔が前記第２の誘電材料を貫通し、前記ボトム金属電極の上面の一部を露出させる、前記堆積させることと、
前記金属窒化物が、前記金属窒化物のエッチング後に前記ボトム金属電極の前記上面の前記一部を露出させて前記孔の側壁全体のみに直接残るように、前記金属窒化物をエッチングすることと、
前記孔を相変化材料で埋めるように、前記第２の誘電材料の前記孔内にのみ前記相変化材料を選択的に堆積させることであって、前記相変化材料の前記選択的堆積が、前記第２の誘電材料の露出面上の前記相変化材料の成長率よりも大きい率で前記金属窒化物上の前記相変化材料の成長率をもたらす、前記堆積させることと、
前記金属窒化物の前記堆積、前記金属窒化物のエッチング、および前記相変化材料の前記選択的堆積の最中に真空を適用することと、
前記相変化材料の上面および前記第２の誘電材料の上面の一部に接触してトップ金属電極を堆積させ、前記トップ金属電極の側部の周りに第３の誘電材料を堆積させることと、を含む、方法。
【請求項２】
コンフォーマル原子層堆積成長プロセスを使用して、前記金属窒化物が堆積される、請求項１に記載の方法。
【請求項３】
前記金属窒化物は、タンタル（Ｔａ）、チタン（Ｔｉ）、およびアルミニウム（Ａｌ）のうちの１つまたは複数を含む、請求項１に記載の方法。
【請求項４】
前記金属窒化物は、プラズマ・エッチング・プロセスを使用してエッチングされる、請求項１に記載の方法。
【請求項５】
前記相変化材料は、ゲルマニウム−アンチモン−テルル（ＧＳＴ）化合物を含む、請求項１に記載の方法。
【請求項６】
前記相変化材料の前記選択的堆積は、所定の温度におけるゲルマニウム−アンチモン−テルル（ＧＳＴ）成長の選択的堆積を含む、請求項１に記載の方法。
【請求項７】
前記選択的堆積は、化学蒸着（ＣＶＤ）、パルス式ＣＶＤ、および原子層堆積（ＡＬＤ）のうちの１つまたは複数を含む、請求項１に記載の方法。
【請求項８】
前記相変化材料の前記選択的堆積中に特定の流量でガス混合物の流れを加えることをさらに含む、請求項１に記載の方法。
【請求項９】
前記ガス混合物は、アンモニア（ＮＨ３）とアルゴン（Ａｒ）の混合物を含む、請求項８に記載の方法。
【請求項１０】
前記トップ金属電極が、堆積プロセスを使用して形成される、請求項１に記載の方法。
【請求項１１】
第１の誘電材料と、
前記第１の誘電材料における開口と、
前記開口内に配置されたボトム金属電極と、
前記ボトム金属電極および前記第１の誘電材料の表面に配置された第２の誘電材料と、
前記第２の誘電材料内の孔に配置された金属窒化物であって、前記孔が前記第２の誘電材料を貫通し、前記ボトム金属電極の上面の一部を露出させ、前記金属窒化物が、前記ボトム金属電極の前記上面の前記一部を露出させて前記孔の側壁全体にのみ配置された、前記金属窒化物と、
前記孔を埋めて、前記第２の誘電材料の前記孔内にのみ配置された相変化材料と、
前記相変化材料の上面および前記第２の誘電材料の上面の一部に接触して配置されたトップ金属電極と、
前記トップ金属電極の側部の周りに配置された第３の誘電材料と、
を備える、装置。
【請求項１２】
前記金属窒化物は、タンタル（Ｔａ）、チタン（Ｔｉ）、およびアルミニウム（Ａｌ）のうちの１つまたは複数を含む、請求項１１に記載の装置。
【請求項１３】
前記相変化材料は、ゲルマニウム−アンチモン−テルル（ＧＳＴ）化合物を含む、請求項１１に記載の装置。
【請求項１４】
前記金属窒化物は、３〜６ナノメートル（ｎｍ）の厚さを有する、請求項１３に記載の装置。
【請求項１５】
１つまたは複数のコンピュータ可読ストレージ・デバイス、および前記１つまたは複数のストレージ・デバイスのうちの少なくとも１つに格納されたプログラム命令を備えるコンピュータ使用可能プログラム製品であって、前記格納されたプログラム命令が、
第１の誘電材料を堆積させるためのプログラム命令と、
前記第１の誘電材料に開口を形成するためのプログラム命令と、
前記開口内にボトム金属電極を堆積させ、前記ボトム金属電極を磨くためのプログラム命令と、
前記ボトム金属電極および前記第１の誘電材料の表面に第２の誘電材料を堆積させるためのプログラム命令と、
前記第２の誘電材料内の孔に金属窒化物をコンフォーマルに堆積させるためのプログラム命令であって、前記孔が前記第２の誘電材料を貫通し、前記ボトム金属電極の上面の一部を露出させる、前記プログラム命令と、
前記金属窒化物が、前記金属窒化物のエッチング後に前記ボトム金属電極の前記上面の前記一部を露出させて前記孔の側壁全体にのみ直接残るように、前記金属窒化物をエッチングするためのプログラム命令と、
前記孔を相変化材料で埋めるように、前記第２の誘電材料の前記孔内にのみ前記相変化材料を選択的に堆積させるためのプログラム命令であって、前記相変化材料の前記選択的堆積が、前記第２の誘電材料の露出面上の前記相変化材料の成長率よりも大きい率で前記金属窒化物上の前記相変化材料の成長率をもたらす、前記プログラム命令と、
前記金属窒化物の前記堆積、前記金属窒化物のエッチング、および前記相変化材料の前記選択的堆積の最中に真空を適用するためのプログラム命令と、
前記相変化材料の上面および前記第２の誘電材料の上面の一部に接触してトップ金属電極を堆積させ、前記トップ金属電極の側部の周りに第３の誘電材料を堆積させるためのプログラム命令と、
を含む、コンピュータ使用可能プログラム製品。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
ナトリウム及びカルシウムを含むリチウムコバルト系正極活物質であって、
前記ナトリウム及び前記カルシウムの総量が前記リチウムコバルト系正極活物質の全体重量を基準として１５０ｐｐｍから５００ｐｐｍであるリチウムコバルト系正極活物質。
【請求項２】
前記ナトリウム及び前記カルシウムは、前記リチウムコバルト系正極活物質のリチウムサイト（ｓｉｔｅ）に含まれるものである、請求項１に記載のリチウムコバルト系正極活物質。
【請求項３】
前記リチウムコバルト系正極活物質は、下記化学式１で表されるものである、請求項１または２に記載のリチウムコバルト系正極活物質：
［化学式１］
Ｌｉ１−ｘＭ１ｘＣｏ１−ｙＭ２ｙＯ２
前記化学式１において、Ｍ１は、Ｎａ及びＣａを含み、
Ｍ２は、Ａｌ、Ｍｇ、Ｗ、Ｍｏ、Ｚｒ、Ｔｉ、Ｆｅ、Ｖ、Ｃｒ、Ｂａ、Ｃａ及びＮｂよりなる群から選択される１種以上であり、
０＜ｘ≦０．１、０≦ｙ≦０．２である。
【請求項４】
コバルト前駆体とリチウム原料物質とを混合して混合物を製造する段階であって、前記コバルト前駆体は、ナトリウム及びカルシウムを含み、前記コバルト前駆体の全体重量を基準として前記ナトリウム及び前記カルシウムの総量が６００ｐｐｍ以下である、段階；及び
前記混合物を焼成してナトリウム及びカルシウムの総量がリチウムコバルト系正極活物質の全体重量を基準として１５０ｐｐｍから５００ｐｐｍであるリチウムコバルト系正極活物質を製造する段階を含むリチウムコバルト系正極活物質の製造方法。
【請求項５】
前記混合物を製造する段階の前に、前記コバルト前駆体内のナトリウム及びカルシウムの含量を測定する段階をさらに含む、請求項４に記載のリチウムコバルト系正極活物質の製造方法。
【請求項６】
前記混合物を製造する段階は、ナトリウム原料物質及びカルシウム原料物質のうち少なくとも一つ以上を追加で混合する段階をさらに含むものである、請求項４または５に記載のリチウムコバルト系正極活物質の製造方法。
【請求項７】
前記ナトリウム原料物質及びカルシウム原料物質は、前記リチウムコバルト系正極活物質におけるナトリウム及びカルシウムの総量が前記リチウムコバルト系正極活物質の全体重量を基準として１５０ｐｐｍから５００ｐｐｍとなるように混合されるものである、請求項６に記載のリチウムコバルト系正極活物質の製造方法。
【請求項８】
請求項１から３のいずれか一項に記載の正極活物質を含む正極。
【請求項９】
請求項８に記載の正極を含むリチウム二次電池。
【請求項１０】
前記リチウム二次電池は、駆動電圧が４．４５Ｖ以上である、請求項９に記載のリチウム二次電池。